(57)【要約】【課題】部屋全体の空気を管理する無菌病室よりも小規模な装置で、空気感染する感染症への感染を防止できるようにする。【解決手段】ベッド本体（10）と、前記ベッド本体（10）の上方を覆って就寝空間（14）を形成するカーテン（46）と、前記ベッド本体（10）に収納され、就寝者の頭側の空気調和を行う頭側空調ユニット（60）とを設ける。そして、頭側空調ユニット（60）には、該頭側空調ユニット（60）内の空気通路に殺菌灯（100）を設けて殺菌を行なう。【選択図】図７
2009131303.tif 000002
【特許請求の範囲】
【請求項１】
ベッド本体（10）と、
前記ベッド本体（10）の上方を覆って就寝空間（14）を形成するカーテン（46）と、
前記ベッド本体（10）に収納され、就寝者の頭側の空気調和を行う頭側空調手段（60）とを備え、
前記頭側空調手段（60）は、該頭側空調手段（60）内の空気通路に殺菌手段（100）が設けられるとともに、前記就寝空間（14）から吸い込んだ空気を空気調和して該就寝空間（14）に吐出するように構成されていることを特徴とする空調装置付きベッド。
【請求項２】
請求項１の空調装置付きベッドであって、
前記殺菌手段（100）は、殺菌灯により構成されていることを特徴とする空調装置付きベッド。
【請求項３】
請求項２の空調装置付きベッドであって、
前記殺菌灯（100）は、該殺菌灯（100）が照射した光が前記頭側空調手段（60）の外部と遮断された位置に配置されていることを特徴とする空調装置付きベッド。
【請求項４】
請求項２の空調装置付きベッドであって、
前記殺菌灯（100）は、空気調和した空気を吐出するファン（75）の吸込口（75a）を照射する位置に配置されていることを特徴とする空調装置付きベッド。
【請求項５】
請求項２の空調装置付きベッドであって、
前記殺菌灯（100）は、前記空気通路の空気を冷却する冷却部（70）よりも上方に配置されていることを特徴とする空調装置付きベッド。
【請求項６】
請求項２の空調装置付きベッドであって、
前記頭側空調手段（60）は、前記殺菌灯（100）が照射した光を反射する反射手段を、前記空気通路内に有していることを特徴とする空調装置付きベッド。
【発明の詳細な説明】
【技術分野】
【０００１】
本発明は、就寝空間の空気調和を行う空調装置付きベッドに関するものである。
【背景技術】
【０００２】
病院などで、空気感染する感染症に罹患した患者の治療を行なう場合には、感染症の伝染を防止するために空気の厳重な管理が必要になる。そのため、病院では、病室全体の空気を管理するいわゆる無菌病室が利用されることがある。一般的な無菌病室は、病室を気密に構成して無菌病室全体を陰圧にしておいて、無菌病室の天井等にＨＥＰＡフィルタを内蔵した給気ユニットを設けて無菌病室内に清浄空気の供給を行なわせ、排気もＨＥＰＡフィルタを経て大気放出するようにしている（例えば特許文献１を参照）。これにより、病室の外部に細菌やウイルスが漏れないようにできる。
【特許文献１】特開平７−２５０８７０号公報
【発明の開示】
【発明が解決しようとする課題】
【０００３】
しかしながら、感染症への罹患が明らかでない状態で、部屋全体の空気を管理する無菌病室を予防措置として用いるのは大掛かり過ぎる。例えば、高齢者施設やホテル、あるいは一般家庭などで、２人以上の人が同室で就寝する場合に、たまたま１人が何らかの感染症を患ったり、あるいはその疑いがあるような場合には、同室者が罹患する危険性が高くなる。しかし、同室者の罹患を見越して別室を用意したり、上記の無菌病室を用意することは現実的でない。
【０００４】
本発明は上記の問題に着目してなされたものであり、部屋全体の空気を管理する無菌病室よりも小規模な装置で、空気感染する感染症への感染を防止できるようにすることを目的としている。
【課題を解決するための手段】
【０００５】
上記の課題を解決するため、第１の発明は、
ベッド本体（10）と、
前記ベッド本体（10）の上方を覆って就寝空間（14）を形成するカーテン（46）と、
前記ベッド本体（10）に収納され、就寝者の頭側の空気調和を行う頭側空調手段（60）とを備え、
前記頭側空調手段（60）は、該頭側空調手段（60）内の空気通路に殺菌手段（100）が設けられるとともに、前記就寝空間（14）から吸い込んだ空気を空気調和して該就寝空間（14）に吐出するように構成されていることを特徴とする。
【０００６】
これにより、就寝者の頭部付近の空気が、頭側空調手段（60）内の殺菌手段（100）によって殺菌されつつ、就寝空間（14）内で循環する。
【０００７】
また、第２の発明は、
第１の発明の空調装置付きベッドであって、
前記殺菌手段（100）は、殺菌灯により構成されていることを特徴とする。
【０００８】
これにより、頭側空調ユニット（60）内に取り込まれた空気中の細菌やウイルスは、殺菌灯（100）が照射した光によって殺菌（あるいは不活性化）される。
【０００９】
また、第３の発明は、
第２の発明の空調装置付きベッドであって、
前記殺菌灯（100）は、該殺菌灯（100）が照射した光が前記頭側空調手段（60）の外部と遮断された位置に配置されていることを特徴とする。
【００１０】
これにより、殺菌灯（100）の照射光が頭側空調ユニット（60）の外部に漏れないようにできる。
【００１１】
また、第４の発明は、
第２の発明の空調装置付きベッドであって、
前記殺菌灯（100）は、空気調和した空気を吐出するファン（75）の吸込口（75a）を照射する位置に配置されていることを特徴とする。
【００１２】
これにより、ファン（75）に吸入される空気の殆どに対して、殺菌灯（100）の光が照射される。
【００１３】
また、第５の発明は、
第２の発明の空調装置付きベッドであって、
前記殺菌灯（100）は、前記空気通路の空気を冷却する冷却部（70）よりも上方に配置されていることを特徴とする。
【００１４】
これにより、冷却部（70）の水滴の殺菌灯（100）への接触が阻止される。
【００１５】
また、第６の発明は、
第２の発明の空調装置付きベッドであって、
前記頭側空調ユニット（60）は、前記殺菌灯（100）が照射した光を反射する反射手段を、前記空気通路内に有していることを特徴とする。
【００１６】
これにより、殺菌灯（100）の直接光があたらない空気通路の部分にも光が照射される。
【発明の効果】
【００１７】
第１の発明によれば、就寝者の頭部付近の空気を効果的に殺菌でき、部屋の空気全体を清浄する従来の装置に比べ、殺菌システムの簡素化ができる。すなわち、より小規模な装置で空気の管理を行なえる。したがって、本発明に係る空調装置付きベッドの設置場所は、従来の感染防止のシステムのように、病院などの特定の施設には限定されず、例えば、一般家庭やホテルなどへの設置も可能である。
【００１８】
また、第２の発明によれば、殺菌手段として殺菌灯（100）を採用しているので、小さな消費電力で殺菌を行なえる。
【００１９】
また、第３の発明によれば、殺菌灯（100）が照射した光が外部と遮断されるので、その光による人体への害を防止できる。
【００２０】
また第４の発明によれば、頭側空調ユニット（60）内を流れる殆どの空気に対して殺菌灯（100）の光を照射できるので、より効果的に殺菌できる。
【００２１】
また、第５の発明によれば、冷却部（70）の水滴の殺菌灯（100）への接触が阻止されるので安全性が向上する。
【００２２】
また、第６の発明によれば、空気通路内で殺菌灯（100）の影になりやすい部分にも殺菌灯（100）の光を照射することができるので、より効果的に殺菌ができる。
【発明を実施するための最良の形態】
【００２３】
以下、本発明の実施形態について図面を参照しながら説明する。なお、以下の実施形態は、本質的に好ましい例示であって、本発明、その適用物、あるいはその用途の範囲を制限することを意図するものではない。
【００２４】
＜全体構成＞
図１は、本発明の実施形態に係る空調装置付きベッドを一部省略して示す斜視図である。また、図２は、この空調装置付きベッドのカーテンを閉めた状態を示す斜視図である。
【００２５】
本実施形態の空調装置付きベッド（1）は、就寝者の頭側及び脚側の空気調和を行うベッドであって、図１及び図２に示すように、ベッド本体（10）と、カーテン保持部（40）と、空調機としての頭側空調ユニット（60）及び脚側空調ユニット（80）と、頭側空調ユニット（60）及び脚側空調ユニット（80）の運転制御を行うコントローラ（90）とを備えており、カーテン保持部（40）のカーテン（46）により就寝空間（14）が形成されている。
【００２６】
＜ベッド本体の構成＞
前記ベッド本体（10）は、図１に示すように、寝台部（11）と、該寝台部（11）の頭側端部及び脚側端部に接続されたヘッドボード（20）及びフットボード（50）を備えている。
【００２７】
前記寝台部（11）は、扁平な直方体の台状に形成されている。この寝台部（11）の上には、就寝者が横たわるためのマットレス（13）が載せられている。
【００２８】
前記ヘッドボード（20）は、図３に示すように、前面板（21）と背面板（22）と上面板（25）と下面板（24）と２枚の側面板（23）とを有し、扁平な直方体状の箱形に形成されている。ヘッドボード（20）は、寝台部（11）と概ね同じ幅長さを有し、寝台部（11）の高さより十分高い。なお、ヘッドボード（20）については、寝台部（11）の頭側を前方（前側）とする。
【００２９】
前記ヘッドボード（20）の前面板（21）には、上半部中央に第１通風グリル（21a）が、下側両端部に第２通風グリル（21b,21b）がそれぞれ設けられている。ヘッドボード（20）の上面板（25）には、両端部に第３通風グリル（25a,25a）が設けられている。第１通風グリル（21a）は、後述する頭側空調ユニット（60）の利用空気が就寝者の頭側に給排気される通風口を構成している。また、この第１通風グリル（21a）の裏面側には、ダクト部材（30）（後述）に面した位置に粗埃用のフィルタ（図示せず）も配置されている。一方、第２通風グリル（21b）は、頭側空調ユニット（60）の排熱空気が吸い込まれる通風口を構成している。本実施形態のベッド本体（10）では、図１に示すように、寝台部（11）の両側面に設けられた寝台部吸込口（12）よりマットレス（13）の下方空間に外部空気が取り込まれ、その空気が排熱空気として第２通風グリル（21b）へ吸い込まれるようになっている。一方、第３通風グリル（25a）は、頭側空調ユニット（60）の排熱空気を吹き出す通風口を構成している。なお、就寝空間（14）の背面側には仕切部材が設けられ、第３通風グリル（25a）から吹き出した暖気である空気（OA）が遮断されて就寝空間（14）の頭側に侵入しないようにしている。
【００３０】
前記ヘッドボード（20）には、ダクト部材（30）が収納されている。ダクト部材（30）は、概ね第１通風グリル（21a）の後方に位置し、後述する頭側空調ユニット（60）に載置されている。
【００３１】
図３及び図４に示すように、前記ダクト部材（30）は、上側板（31）と下側板（33）と背板（35）と２枚の側板（34）とを有し、前面側が開口した扁平な直方体状に形成されている。また、ダクト部材（30）は、内部空間を上下方向に仕切る仕切板（32）が設けられている。
【００３２】
前記ダクト部材（30）の仕切板（32）の中央部には、横長の長方形状に開口した利用側吹出口（32a）が形成されている。ダクト部材（30）の下側板（33）の両端部には、略正方形状に開口した利用側吸込口（33b,33b）が形成されている。上側板（31）の下面には、利用側吹出口（32a）に対応した位置に、風向板（36）が取り付けられている。また、下側板（33）の中央部には、長方形状に開口した吹出用連通口（33a）が形成されている。そして、仕切板（32）の下側の空間には、吹出用連通口（33a）から流入した空気が利用側吹出口（32a）へ流れるように該下側空間を仕切る連通板（37）が形成されている。
【００３３】
このダクト部材（30）では、就寝空間（14）の頭側の空気（利用空気）がヘッドボード（20）の第１通風グリル（21a）から流入して利用側吸込口（33b）より流出するようになっている。一方、ダクト部材（30）では、吹出用連通口（33a）から流入した空気（利用空気）が利用側吹出口（32a）を通ってヘッドボード（20）の第１通風グリル（21a）より就寝空間（14）の頭側へ流出するようになっている。
【００３４】
前記フットボード（50）は、図５に示すように、前面板（51）と背面板（52）と上面板（55）と下面板（54）と２枚の側面板（53）とを有し、扁平な直方体状の箱形に形成されている。このフットボード（50）は、ベッド本体（10）の寝台部（11）と概ね同じ幅長さを有し、且つ寝台部（11）の高さより十分高くなっている。
【００３５】
前記フットボード（50）の前面板（51）には、上半部中央に通風グリル（51a）が設けられている。この通風グリル（51a）は、寝台部（11）のマットレス（13）より高い位置に配置されている。そして、通風グリル（51a）は、後述する脚側空調ユニット（80）の利用空気が就寝者の脚側に給排気される通風口を構成している。なお、フットボード（50）については、寝台部（11）の脚側を前方（前側）とする。
【００３６】
また、前記フットボード（50）は、カーテン（46）の先端部を係止する係止部として機能するものであり、図６に示すように、カーテン保持部（40）のカーテン（46）の先端部をフットボード（50）に引っ掛けて係止させることで、カーテン（46）を寝台部（11）上面よりも高い位置で保持でき、就寝者の脚部周辺に隙間を設けることができる。
【００３７】
ここで、前記カーテン（46）を、カーテン保持部（40）とフットボード（50）との間で自重により撓ませた状態としている。このようにすれば、就寝空間（14）における就寝者の脚側、すなわち、カーテン（46）が撓んでいる位置で、就寝者の頭側と脚側とに就寝空間（14）が区画され、就寝空間（14）における就寝者の脚側に、脚側空調ユニット（80）から供給された調和空気を滞留させる滞留空間（15）が形成される。
【００３８】
＜カーテン保持部の構成＞
前記カーテン保持部（40）は、図２に示すように、２本の支柱（41）と、天井枠（42）とを備え、天井枠（42）にカーテン（46）が掛けられて保持されている。
【００３９】
各支柱（41）は、板状に形成されている。そして、この各支柱（41）は、ヘッドボード（20）の両側面板（23）に取り付けられ、そのヘッドボード（20）よりも鉛直上方に延びている。
【００４０】
前記天井枠（42）は、４辺が板材で構成され、平面視矩形枠になっている。そして、天井枠（42）は、支柱（41）から前方（寝台部（11）の頭側）へ向かって水平に張り出すように該支柱（41）の上端部に固定されている。つまり、天井枠（42）は、就寝者の頭部上方に位置している。また、天井枠（42）の先端側両端部と各支柱（41）との間には、補強材として筋交い（43）が取り外し自在に設けられている。
【００４１】
前記カーテン（46）は、布材からなり、寝台部（11）の両側面及びフットボード（50）の大半を覆うように、天井枠（42）に掛けられている。これにより、寝台部（11）の上方が覆われて就寝空間（14）が形成される。つまり、カーテン保持部（40）は、寝台部（11）の上方を覆う覆い部材を構成している。
【００４２】
＜頭側空調ユニット＞
前記頭側空調ユニット（60）は、ベッド本体（10）のヘッドボード（20）内に収納され、就寝者の頭側の空気調和を行うものであり、頭側空調手段を構成している。頭側空調ユニット（60）は、図７及び図４に示すように、利用側ケーシング（61）と排熱側ケーシング（65）を備えている。
【００４３】
前記利用側ケーシング（61）は、ヘッドボード（20）におけるダクト部材（30）の下方に位置し、該ダクト部材（30）の下側板（33）に接して配置されている。この利用側ケーシング（61）は、横幅長さがダクト部材（30）と概ね同じ矩形体に形成されている。
【００４４】
前記排熱側ケーシング（65）は、ヘッドボード（20）におけるダクト部材（30）及び利用側ケーシング（61）の両側方に隣接して配置されている。排熱側ケーシング（65）は、ダクト部材（30）及び利用側ケーシング（61）の高さ方向に亘って延びる縦長の矩形体に形成されている。
【００４５】
利用側ケーシング（61）の上面には、略中央にダクト部材（30）の吹出用連通口（33a）に対応する第１開口（62）が、両端部にダクト部材（30）の利用側吸込口（33b）に対応する第２開口（63）がそれぞれ形成されている。この利用側ケーシング（61）において、利用空気が第２開口（63）から第１開口（62）へ流れる経路が利用側通路（6a）になっている。一方、排熱側ケーシング（65）の前面の下端部には、ヘッドボード（20）の第２通風グリル（21b）に対応する排熱側吸込口（66）が形成されている。また、排熱側ケーシング（65）の上面には、ヘッドボード（20）の第３通風グリル（25a）に対応する排熱側吹出口（67）が形成されている。この排熱側ケーシング（65）において、排熱空気が排熱側吸込口（66）から排熱側吹出口（67）へ流れる経路、即ち鉛直方向に直線的に延びる経路が排熱側通路（6b）になっている。
【００４６】
前記利用側ケーシング（61）内には、利用側ファン（75）が１つ設けられている。この利用側ファン（75）は、就寝空間（14）の頭側の利用空気をダクト部材（30）を介して第２開口（63）より利用側ケーシング（61）内へ取り込む一方、利用側ケーシング（61）内の利用空気を第１開口（62）からダクト部材（30）を介して就寝空間（14）の頭側へ吹き出すように構成されている。
【００４７】
前記頭側空調ユニット（60）には、２つの熱源ユニット（70）が設けられている。各熱源ユニット（70）は、熱源（71）と利用側熱交換部（72）と排熱側熱交換部（73）から構成されている。
【００４８】
前記熱源（71）は、板状に形成され、いわゆるペルチェ素子により構成されている。この熱源（71）は、互いに対向する冷却面と加熱面とを有している。利用側熱交換部（72）及び排熱側熱交換部（73）は、図示しないが、熱源（71）を挟み込む台座と、該台座から突出した複数のフィン群を備えている。そして、利用側熱交換部（72）が熱源（71）の冷却面に設けられ、排熱側熱交換部（73）が熱源（71）の加熱面に設けられている。
【００４９】
前記熱源ユニット（70）は、利用側通路（6a）及び排熱側通路（6b）に跨って配置されている。具体的に、熱源ユニット（70）の利用側熱交換部（72）は、利用側通路（6a）における最上流側（第２開口（63）の下方）に位置し、排熱側熱交換部（73）は、排熱側通路（6b）におけるやや上流側（排熱側吸込口（66）の上方）に位置している。つまり、利用側ケーシング（61）において第２開口（63）より流入した空気が利用側熱交換部（72）で冷却され、排熱側ケーシング（65）において排熱側吸込口（66）より流入した空気が排熱側熱交換部（73）で加熱される。
【００５０】
前記排熱側ケーシング（65）内には、排熱側ファン（77）が設けられている。この排熱側ファン（77）は、排熱側通路（6b）における排熱側熱交換部（73）の下流（上方）に配置されている。排熱側ファン（77）は、排熱側吸込口（66）より排熱空気を排熱側ケーシング（65）内へ取り込み、排熱側吹出口（67）から吹き出すように構成されている。つまり、排熱側ファン（77）は、排熱空気を下方から吸い込んで上方へ吹き出すようになっている。
【００５１】
前記利用側ケーシング（61）内には、ドレン回収部（76）が設けられている。このドレン回収部（76）は、熱源ユニット（70）の利用側熱交換部（72）の下方に配置され、該利用側熱交換部（72）で発生したドレンを回収するものである。また、排熱側ケーシング（65）において、側面と排熱側熱交換部（73）との間には断熱材（78）が取り付けられている。この断熱材（78）は、排熱側熱交換部（73）の熱が頭側空調ユニット（60）の外部へ伝わらないようにするためのものである。
【００５２】
また、頭側空調ユニット（60）はその内部に、細菌を殺菌したりウイルスを不活性化したりする殺菌手段が構成されている（以下、細菌の殺菌とウイルスの不活性化とを総称して殺菌と呼ぶことにする）。本実施形態では、殺菌手段は、具体的には殺菌灯（100）である。この殺菌灯（100）は、図７に示すように、利用側ケーシング（61）の天板（利用側ケーシング天板（61a））の下面側で、利用側ファン（75）の吸込口（75a）に臨む位置に配置されている。
【００５３】
この殺菌灯（100）は、蛍光灯器具（101）に、紫外線を放射する蛍光灯（102）を取り付けたものであり、この紫外線により利用側ファン（75）に吸入される前の空気の殺菌を行なう。この蛍光灯（102）には、最も殺菌効果の高い２５０〜２６５ｎｍの波長の紫外線を放射するものを用いるのが効果的である。なお、本実施形態では、蛍光灯（102）は、６Ｗのものを用いている。この紫外線は人体にも有害であるので、殺菌灯（100）が照射した紫外線が頭側空調ユニット（60）の外部と遮断された位置に殺菌灯（100）を配置する必要がある。本実施形態では、利用側ケーシング天板（61a）の下面で、且つ第１開口（62）や第２開口（63）等を介して殺菌灯（100）からの直接光が頭側空調ユニット（60）の外部に漏れ出さない位置に殺菌灯（100）を配置している。殺菌灯（100）の間接光は第１開口（62）や第２開口（63）から漏れる可能性はあるが、第１開口（62）や第２開口（63）は、ダクト部材（30）と繋がっており、第１開口（62）や第２開口（63）から漏れ出た紫外線の殆どはこのダクト部材（30）内の構造物に遮られることになる。また、このダクト部材（30）は、既述のとおり、粗挨用のフィルタを介して第１通風グリル（21a）と繋がっているので、ダクト部材（30）内で反射するなどして第１通風グリル（21a）に向かった紫外線は、このフィルタによって遮断される。したがって、本実施形態では、紫外線が人体に害を及ぼすことはない。
【００５４】
なお、殺菌灯（100）を上記のように利用側ケーシング天板（61a）の下面側に取り付けたことにより、殺菌灯（100）が熱源（71）のペルチェ素子の結露水に接触することがなく、安全性が向上する。また、殺菌灯（100）の殺菌能力は、温度と空気の風速に対して依存性を有しているが、殺菌灯（100）を頭側空調ユニット（60）内部に配置したことにより、温度及び風速の条件を殺菌能力が高い条件下で使用できる。
【００５５】
＜脚側空調ユニット＞
前記脚側空調ユニット（80）は、図５、図８及び図９に示すように、フットボード（50）内に収納され、就寝者の脚側の空気調和を行うものであり、脚側空調手段を構成している。脚側空調ユニット（80）は、フットボード（50）よりやや小さい扁平な直方体状に形成されたケーシング（80a）を備えている。
【００５６】
前記ケーシング（80a）の前面には、上部中央に吸込口（81）が形成され、該吸込口（81）の両側方に吹出口（82）が形成されている。この吸込口（81）と２つの吹出口（82）は、フットボード（50）の通風グリル（51a）の後方に位置している。
【００５７】
前記ケーシング（80a）内には、脚側ファン（85）と電熱ヒータ（86）が設けられている。脚側ファン（85）は、吸込口（81）の後方に配置され、吸込口（81）より吸い込んだ空気（利用空気）をケーシング（80a）の下面に向かって吹き出すように構成されている。電熱ヒータ（86）は、脚側ファン（85）とケーシング（80a）の下面との間に、且つ、概ねケーシング（80a）の幅方向（図９における左右方向）に亘って配置されている。電熱ヒータ（86）は、ケーシング（80a）内に取り込んだ利用空気の加熱手段を構成している。
【００５８】
前記脚側空調ユニット（80）では、脚側ファン（85）により、吸込口（81）から流入した利用空気がケーシング（80a）の下面に衝突した後、吹出口（82）へ流れて流出するようになっている。その際、利用空気が電熱ヒータ（86）によって加熱され、その暖気が就寝者の脚側に供給される。
【００５９】
また、前記空調装置付きベッド（1）は、コントローラ（90）を備えている（図１参照）。このコントローラ（90）は、頭側空調ユニット（60）及び脚側空調ユニット（80）の運転制御を行うものであり、例えばヘッドボード（20）の上部に収納されている。
【００６０】
＜運転動作＞
次に、前記空調装置付きベッド（1）の空調動作について説明する。まず、就寝者が、カーテン保持部（40）のカーテン（46）を開けて、前記寝台部（11）の上の就寝空間（14）に入り、カーテン（46）を閉めて就寝を開始する。
【００６１】
前記コントローラ（90）は、就寝者の就寝の開始を検知して自動的に、又は就寝者の手動により空調装置の制御を開始する。これにより、頭側空調ユニット（60）では、熱源（71）の通電及び各ファン（75,77）の駆動が開始され、脚側空調ユニット（80）では、脚側ファン（85）及び電熱ヒータ（86）の通電が開始される。そして、電熱ヒータ（86）及び熱源（71）に流れる電流値や各ファン（75,77,85）の回転数が適宜制御される。
【００６２】
就寝空間（14）において、例えば、就寝者の頭側では、図３、図７及び図４に示すように、ヘッドボード（20）の第１通風グリル（21a）からダクト部材（30）へ就寝空間（14）の頭側の空気（RA1）が利用空気として吸い込まれる。吸い込まれた空気（RA1）は、ダクト部材（30）の利用側吸込口（33b）から頭側空調ユニット（60）の利用側通路（6a）へ導入され、熱源ユニット（70）の利用側熱交換部（72）で冷却される。冷却された調和空気（SA1）は、利用側ファン（75）を通って第１開口（62）からダクト部材（30）へ導入される。ダクト部材（30）へ導入された調和空気（SA1）は、利用側吹出口（32a）を通って第１通風グリル（21a）から前方へ吹き出す。これにより、就寝空間（14）の頭側が所定温度に維持される。そして、吹き出した調和空気（SA1）は、下方へ流れて再び第１通風グリル（21a）へ吸い込まれる。
【００６３】
一方、就寝者の脚側では、図５及び図９に示すように、フットボード（50）の通風グリル（51a）の中央から脚側空調ユニット（80）へ就寝空間（14）の脚側の空気（RA2）が利用空気として吸い込まれる。吸い込まれた空気（RA2）は、脚側ファン（85）を通り、電熱ヒータ（86）によって加熱される。加熱された調和空気（SA2）は、吹出口（82）を通って通風グリル（51a）の両端部から前方へ吹き出す。これにより、就寝空間（14）の脚側が所定温度に維持される。そして、吹き出した調和空気（SA2）は、内側へ（寝台部（11）の幅方向における中央へ）流れて再び通風グリル（51a）の中央から吸い込まれる。
【００６４】
上記のように、頭側空調ユニット（60）と脚側空調ユニット（80）とが動作することによって、就寝者の頭部及び足部の温度管理が行なわれ、この際、就寝者の頭部付近では、利用側吹出口（32a）から吹き出した調和空気（SA1）が利用側吸込口（33b）に吸い込まれるショートサーキット領域が形成される。一方、就寝者の足部付近では、通風グリル（51a）の両端部から前方へ吹き出した調和空気（SA2）が通風グリル（51a）の中央から吸い込まれるショートサーキット領域が形成される。したがって、就寝者の呼気は、頭側空調ユニット（60）の運転動作によって、就寝者の頭部側のショートサーキット領域で循環することになる。
【００６５】
ここで、就寝者が、空気感染する感染症に罹患していた場合には、その呼気には細菌やウイルスなどが含まれている可能性がある。そして、この呼気は、上述の通り、頭側空調ユニット（60）の利用側通路（6a）へ導入され、熱源ユニット（70）の利用側熱交換部（72）で冷却される。冷却された調和空気（SA1）（罹患した就寝者の呼気を含んでいる）は、利用側ファン（75）の吸込口（75a）の付近に到達すると、殺菌灯（100）によって紫外線を照射される。これにより、調和空気（SA1）中に浮遊する例えば細菌やウイルスなどが殺菌される。この殺菌された調和空気（SA1）は、利用側ファン（75）に吸い込まれ、第１開口（62）からダクト部材（30）へ導入される。ダクト部材（30）へ導入された殺菌済みの調和空気（SA1）は、利用側吹出口（32a）を通って第１通風グリル（21a）から前方へ吹き出す。
【００６６】
＜本実施形態による効果＞
以上のように、本実施形態によれば、部屋の空気全体を清浄する従来の装置に比べて小規模な装置で、空気の管理を行なうことができる。したがって、本発明に係る空調装置付きベッドの設置場所は、従来の感染防止のシステムのように、病院などの特定の施設には限定されない。例えば、一般家庭やホテルなどへの設置も可能である。
【００６７】
また、本実施形態は、殺菌手段として殺菌灯（100）を採用しているので、小さな消費電力で殺菌を行なえる。
【００６８】
また、頭側空調ユニット（60）内の利用側熱交換部（72）やドレン回収部（76）の周辺はカビが発生しがちであるが、本実施形態では殺菌灯（100）によって、頭側空調ユニット（60）内部も殺菌されるので、内部のカビ発生を防止できる。
【００６９】
《その他の実施形態》
なお、頭側空調ユニット（60）内には、殺菌灯（100）が照射した紫外線を反射する鏡面（M）を設けてもよい。例えば、図１０は、ダクト部材（30）側から見た頭側空調ユニット（60）内を示しており、この例では利用側ファン（75）の吸込口（75a）に対向した壁面に鏡面（M）を設けている。このように、鏡面（M）を設けると、頭側空調ユニット（60）内で殺菌灯（100）の影になりやすい部分にも紫外線を照射することができ、より効果的に殺菌ができる。
【００７０】
また、殺菌灯（100）の点灯時には発熱があり、熱源（71）のペルチェ素子の冷却能力を低下させる可能性があるが、例えば効率的に冷却したい期間に蛍光灯（102）を消灯すれば、冷却能力の低下を防止できる。
【００７１】
また、殺菌手段は殺菌灯（100）には限定されず、種々の殺菌方法を採用できる。
【００７２】
また、脚側空調ユニット（80）は必須ではなく、省略可能である。
【産業上の利用可能性】
【００７３】
本発明に係る空調装置付きベッドは、就寝空間の空気調和を行う空調装置付きベッドとして有用である。
【図面の簡単な説明】
【００７４】
【図１】本実施形態に係る空調装置付きベッドを一部省略して示す斜視図である。
【図２】本実施形態に係る空調装置付きベッドのカーテンを閉めた状態を示す斜視図である。
【図３】ヘッドボードの構成を示す斜視図である。
【図４】頭側空調ユニット及びダクト部材の構成を互いに分離した状態で示す斜視図である。
【図５】フットボードの構成を示す斜視図である。
【図６】本実施形態に係る空調装置付きベッドのカーテンを閉めた状態を示す側面図である。
【図７】頭側空調ユニット及びダクト部材の構成を示すものであり、（ａ）が前面視、（ｂ）が側面視の図である。
【図８】脚側空調ユニットの構成を示す斜視図である。
【図９】脚側空調ユニットの構成を示す前面視の図である。
【図１０】紫外線反射用の鏡面の配置を示す図である。
【符号の説明】
【００７５】
１０      ベッド本体
１４      就寝空間
４６      カーテン
６０      頭側空調ユニット
７０      熱源ユニット
７５      利用側ファン
７５ａ    吸込口
１００    殺菌灯
【図１】
2009131303.tif 000003
【図２】
2009131303.tif 000004
【図３】
2009131303.tif 000005
【図４】
2009131303.tif 000006
【図５】
2009131303.tif 000007
【図６】
2009131303.tif 000008
【図７】
2009131303.tif 000009
【図８】
2009131303.tif 000010
【図９】
2009131303.tif 000011
【図１０】
2009131303.tif 000012